(57)【要約】【課題】  本発明の目的は、基礎柱脚や梁の精度の影響を受けることが少なく、剛接合された家屋の骨組みに対し、簡易に外壁を配設することが可能な外壁接合金物及び外壁接合方法を提供することにある。【解決手段】  梁Ｔと柱とで構成される家屋の骨組みに、外壁Ｓを配設するための外壁接合金物１０に関する。  外壁接合金物１０は、梁Ｔに接合される梁接合部１２と、梁接合部１２に連続して形成されるとともに、外壁Ｓに接合される外壁接合部１１と、を少なくとも備え、梁接合部１２には、梁Ｔを固定する固定部材を貫通させるための固定部材貫通孔１２ａ，１２ａが設けられており、固定部材貫通孔１２ａ，１２ａは、外壁Ｓを梁Ｔに離接させる方向に長く形成されたルーズホールである。【選択図】        図１
2006266012.tif 000002
【特許請求の範囲】
【請求項１】
梁と柱とで構成される家屋の骨組みに、外壁を配設するための外壁接合金物であって、
該外壁接合金物は、
前記梁に接合される梁接合部と、
該梁接合部に連続して形成されるとともに、外壁に接合される外壁接合部と、を少なくとも備え、
前記梁接合部には、前記梁を固定する固定部材を貫通させるための固定部材貫通孔が設けられており、
前記固定部材貫通孔は、前記外壁を前記梁に離接させる方向に長く形成されたルーズホールであることを特徴とする外壁接合金物。
【請求項２】
前記外壁接合部は、前記梁接合部の１辺より略垂直に連続して形成されており、
前記梁接合部は、前記外壁接合部を下部へ向けて前記梁に固定され、
前記外壁接合部は、前記外壁に圧接した状態で固定されることを特徴とする請求項１に記載の外壁接合金物。
【請求項３】
前記外壁接合部は、前記梁接合部の1辺より略水平に連続して形成されており、
前記梁接合部は、前記梁に固定され、
前記外壁接合部は、前記梁から略水平に突出し、前記外壁の下端部の一部が載置されることを特徴とする請求項１に記載の外壁接合金物。
【請求項４】
前記外壁接合部と前記梁接合部とで形成される内隅部には、前記外壁接合部と前記梁接合部を架橋するように配設された第１補強部材が取付けられていることを特徴とする請求項２に記載の外壁接合金物。
【請求項５】
前記外壁接合部と前記梁接合部との境界線上には、該境界線上から略垂直に起立する支持部材が配設されており、該支持部材と前記梁接合部とで形成される内隅部には、前記支持部材と前記梁接合部とを架橋するように配設された第２補強部材が設けられていることを特徴とする請求項３に記載の外壁接合金物。
【請求項６】
梁に接合される梁接合部と、該梁接合部に連続して形成されるとともに、外壁に接合される外壁接合部と、を少なくとも備えた外壁接合金物を介して、前記梁と前記柱とで構成される家屋の骨組みに前記外壁を配設するための外壁接合方法であって、
前記梁接合部に備えられた、前記外壁を前記梁に離接させる方向に長く形成されるルーズホールの方向に沿って、前記梁接合部が前記梁の一部に接すると共に、前記外壁接合部が前記外壁の一部に接する位置まで前記外壁接合金物を移動させる位置調整工程と、
前記梁接合部と、該梁接合部が接している前記梁の一部とを、前記ルーズホールより固定部材を貫通させて留めつけることにより固定する梁固定工程と、
前記外壁接合部と、該外壁接合部が接している前記外壁の一部とを固定する外壁固定工程と、を行うことを特徴とする外壁接合方法。
【発明の詳細な説明】
【技術分野】
【０００１】
本発明は、外壁を立設するための外壁接合金物に関し、より詳細には、多少の誤差を吸収して調整を行うことが可能な外壁接合金物及び外壁接合方法に関するものである。
【背景技術】
【０００２】
従来より、工場で予め作成された外壁パネルを使用して、カーテンウォール形式の外壁を立設する工法が知られている。
このように外壁パネルを使用して外壁を立設する場合には、例えば鉄鋼製の梁や柱等で家屋の骨組みを形成し、この骨組みに従って外壁を立設する。
この際、外壁と梁とを連結する必要があり、このため、外壁と梁とを連結するための金物が使用されている。
【０００３】
このような、外壁と梁とを連結するための金物は、各種開発され、実際に使用されている（例えば、特許文献１参照）。
特許文献１には、支持板と係合金具をチャンネル材を介して、互いになす角が略直角となるように取付けた接合用の金物が開示されている。
特許文献１に記載の金物では、係合金具を梁となるＨ鋼に取付けるとともに、外壁を係合金具により固定することにより、金物を介して外壁を梁に固定する。
【０００４】
【特許文献１】特開２００２−２３５３９５号公報（第３頁及び第４頁、図１及び図６）
【発明の開示】
【発明が解決しようとする課題】
【０００５】
しかし、上記特許文献１の金物では、外壁と梁間の距離が若干ずれた場合に対応ができない。
例えば、耐震構造であるラーメン（rahmen）構造（図６参照）の家屋を建築する場合には、柱と梁とが、遊びを持たず密着した状態で接合されるため、外壁と梁間の距離は、基礎脚中の精度や梁の精度の影響を受けやすい。つまり、柱と梁との遊びによって、外壁と梁との間の距離の差異を吸収することができない。
このため、柱の建ち調整も比較的困難であり、その傾斜が外壁に影響をおよぼし易い。
【０００６】
本発明の目的は、上記各問題点を解決することにあり、基礎柱脚や梁の精度の影響を受けることが少なく、剛接合された家屋の骨組みに対し、簡易に外壁を配設することが可能な外壁接合金物及び外壁接合方法を提供することにある。
【課題を解決するための手段】
【０００７】
上記課題は、請求項１に係る発明によれば、梁と柱とで構成される家屋の骨組みに、外壁を配設するための外壁接合金物であって、該外壁接合金物は、前記梁に接合される梁接合部と、該梁接合部に連続して形成されるとともに、外壁に接合される外壁接合部と、を少なくとも備え、前記梁接合部には、前記梁を固定する固定部材を貫通させるための固定部材貫通孔が設けられており、前記固定部材貫通孔は、前記外壁を前記梁に離接させる方向に長く形成されたルーズホールであることにより解決される。
【０００８】
上記課題は、請求項６に係る発明によれば、梁に接合される梁接合部と、該梁接合部に連続して形成されるとともに、外壁に接合される外壁接合部と、を少なくとも備えた外壁接合金物を介して、前記梁と前記柱とで構成される家屋の骨組みに前記外壁を配設するための外壁接合方法であって、前記梁接合部に備えられた、前記外壁を前記梁に離接させる
方向に長く形成されるルーズホールの方向に沿って、前記梁接合部が前記梁の一部に接すると共に、前記外壁接合部が前記外壁の一部に接する位置まで前記外壁接合金物を移動させる位置調整工程と、前記梁接合部と、該梁接合部が接している前記梁の一部とを、前記ルーズホールより固定部材を貫通させて留めつけることにより固定する梁固定工程と、前記外壁接合部と、該外壁接合部が接している前記外壁の一部とを固定する外壁固定工程と、を行うことにより解決される。
【０００９】
このように、外壁と梁とは、梁接合部にルーズホールを有する外壁接合金物によって固定される。
このルーズホールは、外壁と梁との距離方向に長く形成されている。
よって、外壁接合金物の配設位置を、このルーズホールの長さ分調整することが可能となる。
このため、柱と梁が、遊びを持たず密着した状態で剛接合されている場合であっても、外壁と梁間の距離の誤差を調整することができるため、基礎脚中の精度や梁の精度の影響を受けにくくなる。
【００１０】
このとき、前記外壁接合部は、前記梁接合部の１辺より略垂直に連続して形成されており、前記梁接合部は、前記外壁接合部を下部へ向けて前記梁に固定され、前記外壁接合部は、前記外壁に圧接した状態で固定されていると、梁接合部と梁下端部及び外壁接合部と外壁を容易に接合できるため好適である。
【００１１】
また、このとき、前記外壁接合部は、前記梁接合部の1辺より略水平に連続して形成されており、前記梁接合部は、前記梁に固定され、前記外壁接合部は、前記梁から略水平に突出し、前記外壁の下端部の一部が載置されていると、梁接合部と梁上端側を容易に接合できるとともに、外壁下端部を外壁接合部に載置した状態で容易に接合することができるため好適である。
【００１２】
更に、このとき、前記外壁接合部と前記梁接合部とで形成される内隅部には、前記外壁接合部と前記梁接合部を架橋するように配設された第１補強部材が取付けられている。
また、このとき、前記外壁接合部と前記梁接合部との境界線上には、該境界線上から略垂直に起立する支持部材が配設されており、該支持部材と前記梁接合部とで形成される内隅部には、前記支持部材と前記梁接合部とを架橋するように配設された第２補強部材が設けられている。
よって、外壁接合金物が補強され、梁と外壁とを高い強度をもって接合することが可能となり好適である。
【発明の効果】
【００１３】
本発明によれば、外壁と梁とは、梁接合部にルーズホールを有する外壁接合金物によって固定される。
このルーズホールは、外壁と梁との距離方向に長く形成されている。
よって、外壁接合金物の配設位置を、このルーズホールの長さ分調整することが可能となる。
一般的に、柱と梁が遊びをもたずに密着した状態で剛接合された骨組みをもつ家屋を建設する場合には、柱と梁との遊びによって、外壁と梁との間の距離の誤差を吸収することができない。
このため、柱の建ち調整も比較的困難であり、その傾斜が外壁に影響をおよぼし易い。
しかし、本発明に係る外壁接合金物によれば、外壁接合金物と梁とを接合するための固定部材（例えば、ボルト）貫通孔がルーズホールとして形成されているため、柱と梁が剛接合されている場合であっても、外壁と梁間の距離の誤差を調整することができる。
よって、基礎脚中の精度や梁の精度の影響を受けにくくなる。
【発明を実施するための最良の形態】
【００１４】
以下、本発明の一実施例を図面に基づいて説明する。
なお、以下に説明する構成は本発明を限定するものでなく、本発明の趣旨の範囲内で種々改変することができるものである。
本実施形態は、基礎柱脚や梁の精度の影響を受けることが少なく、剛接合された家屋の骨組みに対し、簡易に外壁を配設することが可能な外壁接合金物に関するものである。
【００１５】
図１乃至図５は、本発明に係る実施形態を示すものであり、図１は第１外壁接合金物を示す斜視図、図２は第２外壁接合金物を示す斜視図、図３（ａ）は第１外壁接合金物が配設された状態を示す側面図、図３（ｂ）は第１外壁接合金物が配設された状態を下部方向からみた平面図、図４（ａ）は第２外壁接合金物が配設された状態を上部から見た平面図、図４（ｂ）は第２外壁接合金物が配設された状態を示す側面図、図５は第１外壁接合金物及び第２外壁接合金物によって外壁が梁に固定された状態を示す断面相当図である。
【００１６】
まず、図１により本実施形態に係る第１外壁接合金物１０について説明する。
第１外壁接合金物１０は、外壁Ｓと梁Ｔの下端側を連結するための金物である。
本実施形態に係る外壁接合金物１０は、外壁接合部としての第１鉛直板部１１と、梁接合部としての第１水平板部１２、第１補強部材としての第１補強部１３とで構成されている。
【００１７】
本実施形態に係る第１鉛直板部１１は、略長方形状の板体であり、外壁Ｓに接合される。
第１鉛直板部１１には、第１金物第１ボルト孔１１ａ，１１ａが形成されている。
第１金物第１ボルト孔１１ａ，１１ａは、鉛直方向（図１のＺ方向）に長軸を有する略楕円形状に形成されており、第１鉛直板部１１の長辺と略平行な方向（図１のＹ方向）に２個並列して形成されている。
【００１８】
本実施形態に係る第１水平板部１２は、略凸字形状の板体であり、梁Ｔに接合される。
第１水平板部１２の略凸字を形成する底辺１２ｃは、第１鉛直板部１１の長辺の一つと連続しており、第１水平板部１２と第１鉛直板部１１の形成する角度は略垂直となっている。
第１水平板部１２には、固定部材貫通孔としての第１金物第２ボルト孔１２ａ，１２ａ、第１金物第３ボルト孔１２ｂが形成されている。
【００１９】
第１金物第２ボルト孔１２ａ，１２ａは、第１金物第１ボルト孔１１ａ，１１ａの長軸と略垂直な方向（図１のＸ方向）に長軸を有する略楕円形状に形成されたルーズホールであり、第１鉛直板部１１の長辺と略平行な方向（図１のＹ方向）に並列して形成されている。
第１金物第３ボルト孔１２ｂは、略円形状に形成されており、第１鉛直板部１１と連続する底辺１２ｃと対向する辺付近に形成されている。
【００２０】
本実施形態に係る第１補強部１３は、略台形状の板体であり、第１鉛直板部１１と第１水平板部１２とで形成される内隅部の略中央に配設される。
第１補強部１３は、上底側（略平行な辺のうち短辺側）を内隅側に向けた状態で、２つの脚辺（上底と下底とを連結する辺）部がそれぞれ第１鉛直板部１１及び第１水平板部１２に溶接されている。このとき、第１補強部１３と第１鉛直板部１１及び第１補強部１３と第１水平板部１２は、それぞれ略垂直に交わっている。
また、第１水平板部１２に溶接される側の脚辺は、第１金物第２ボルト孔１２ａ，１２ａ間に溶接される。
【００２１】
次いで、図２により本実施形態に係る第２外壁接合金物２０について説明する。
第２外壁接合金物２０は、外壁Ｓと梁Ｔの上端側を連結するための金物である。
本実施形態に係る第２外壁接合金物２０は、支持部材としての第２鉛直板部２１、外壁接合部及び梁接合部としての第２水平板部２２、第２補強部材としての第２補強部２３とで構成されている。
【００２２】
本実施形態に係る第２鉛直板部２１は、略長方形状の板状部材として形成されている。
本実施形態に係る第２水平板部２２は、略凸字形状の板状部材であり、第２金物第１ピン孔２２ｃ，２２ｃ、固定部材貫通孔としての第２金物第２ボルト孔２２ａ，２２ａ、第２金物第３ボルト孔２２ｂが形成されている。
第２鉛直板部２１は、第２水平板部２２から略垂直に起立した状態となるように溶接されている。
【００２３】
なお、第２鉛直板部２１は、その長辺が、第２水平板部２２の略凸字を形成する底辺２２ｄと略平行となる状態で、第２水平板部２２の略中央部に溶接されている。
第２金物第１ピン孔２２ｃ，２２ｃは、略円形状のピン孔であり、底辺２２ｄ側に形成されている。
なお、第２金物第１ピン孔２２ｃ，２２ｃは、底辺２２ｄと略平行な方向（図２のＹ方向）に並列して形成されている。
【００２４】
第２金物第２ボルト孔２２ａ，２２ａは、底辺２２ｄと略垂直な方向（図２のＸ方向）に長軸を有する略楕円形状のルーズホールとして形成されたボルト孔であり、底辺２２ｄと略平行な方向（図２のＹ方向）に並列して形成されている。
なお、第２金物第２ボルト孔２２ａ，２２ａは、第２鉛直板部２１に対して、第２金物第１ピン孔２２ｃ，２２ｃと反対側に形成されている。
第２金物第３ボルト孔２２ｂは、略円形状のボルト孔であり、底辺２２ｄと対向する辺付近に形成されている。
【００２５】
本実施形態に係る第２補強部２３は、略台形状の板体であり、第２鉛直板部２１と第２水平板部２２とで形成される内隅部（第２金物第２ボルト孔２２ａ，２２ａが形成されている側の内隅部）の略中央に配設される。
なお、第２補強部２３は、上底側（略平行な辺のうち短辺側）を内隅側に向けた状態で、２つの脚辺（上底と下底とを連結する辺）部がそれぞれ第２鉛直板部２１及び第２水平板部２２に溶接されている。このとき、第２補強部２３と第２鉛直板部２１及び第２補強部２３と第２水平板部２２とは、それぞれ略垂直に交わっている。
【００２６】
また、第２水平板部２２に溶接される側の脚辺は、第２金物第２ボルト孔２２ａ，２２ａ間に溶接されている。
なお、第２水平板部２２を、第２鉛直板部２１が立設している場所より分割したとき、第２金物第１ピン孔２２ｃ，２２ｃが形成されている側には、外壁Ｓが取付けられる。
この部分を以下単に、「外壁取付部２２Ａ」と記す。
この外壁取付部２２Ａが、外壁接合部に相当する。
また、第２水平板部２２を、第２鉛直板部２１が立設している場所より分割したとき、第２金物第２ボルト孔２２ａ，２２ａが形成されている側には、梁Ｔが取付けられる。
この部分を以下単に、「梁取付部２２Ｂ」と記す。
この梁取付部２２Ｂが、梁接合部に相当する。
【００２７】
次いで、図３乃至図５により、本実施形態に係る第１外壁接合金物１０及び第２外壁接合金物２０を使用して、梁Ｔに外壁Ｓを取付る方法を説明する。
本実施形態に係る外壁Ｓとは、公知の外壁パネルであり、方形の枠体に、外装材、内装材、防火部材、防湿部材、防水部材、断熱材等を配設したパネル状の板体である。
この外壁Ｓは、通常、工場等で予め作成され、家屋の建築現場で家屋の骨組みに沿って配設される。
【００２８】
なお、本実施形態に係る外壁Ｓは、フレームＳ２を挟んで、外装材Ｓ１及び断熱材Ｓ３が貼付されている。
また、本実施形態に係る梁Ｔとは、公知のＨ鋼であり、柱に対して水平方向へ組まれ、家屋の骨組みを構成する。
なお、外壁Ｓ、梁Ｔは、これに限られるものではなく、材料、材質、組合せ等は、施工する家屋に要求される条件等により適宜選択することができる。
【００２９】
まず、第１外壁接合金物１０を使用して、外壁Ｓと梁Ｔの下部を連結する方法を説明する。
図３及び図５に示すように、第１外壁接合金物１０は、梁Ｔの下端部（図３（ａ）のＷ方向側端部）と外壁Ｓを連結する。
梁Ｔの下端内側面Ｔ１（梁Ｔ下端側の地面と対向する面の裏面）上には、金物固定部材３０が予め固定されている。
【００３０】
金物固定部材３０は、略長方形状の板体であり、第１外壁接合金物１０が配設される位置に予め適宜固定される。
なお、金物固定部材３０は、梁Ｔの下端内側面Ｔ１上に載置された状態で、ボルトＢ１，Ｂ１によって固定されている。
このとき、金物固定部材３０は、一部が外壁Ｓ側にはみ出した状態で梁Ｔの下端内側面Ｔ１上に載置されている。
以下、この外壁Ｓ側にはみ出した部分を「接合金物固定部３０ａ」と記し、下端内側面Ｔ１上に載置されている部分を「梁固定部３０ｂ」と記す。
【００３１】
ボルトＢ１，Ｂ１は、梁固定部３０ｂと梁Ｔの下端部を貫通して固定されている。
次いで、第１外壁接合金物１０を金物固定部材３０に取付ける。
つまり、第１外壁接合金物１０は、金物固定部材３０を介して、梁Ｔに取付けられることとなる。
なお、本実施形態では、金物固定部材３０を介して第１外壁接合金物１０と梁Ｔとを連結したが、金物固定部材３０は、必ずしも使用される必要はなく、第１外壁接合金物１０と梁Ｔとを直接接合してもよい。
しかし、金物固定部材３０を予め梁に固定しておくと、第１外壁接合金物１０を配設すべき位置を簡易に把握することが可能であるとともに、この金物固定部材３０にもルーズホールを作成しておくと、第１外壁接合金物１０の位置調整をより細かくできるため好ましい。
例えば、第１金物第２ボルト孔１２ａ，１２ａの長軸と略垂直な方向にルーズホールを形成しておくと、外壁Ｓと梁Ｔとの距離方向と略垂直な方向に対する位置調整もまた行うことができる。
【００３２】
第１外壁接合金物１０は、第１水平板部１２の裏面（第１補強部１３が配設されていない側の面）側と、梁Ｔの下端表面Ｔ２（梁Ｔ下端側の地面と対向する面）とを合わせ、第１鉛直板部１１の裏面（第１補強部１３が配設されていない側の面）側を外壁Ｓの断熱材Ｓ３に圧接させた状態で、ボルトＢ２，Ｂ２を接合金物固定部３０ａ及び第１金物第２ボルト孔１２ａ，１２ａに貫通させて固定する。
【００３３】
なお、第１金物第２ボルト孔１２ａ，１２ａは、長軸の長さが図３のＰ−Ｑ間の距離となる略楕円形状のルーズホールであるため、ボルトＢ２，Ｂ２は、この第１金物第２ボルト孔１２ａ，１２ａの長軸に沿って、どの位置においても固定することができる。
つまり、外壁Ｓの断熱材Ｓ３と梁Ｔとの距離ｐが多少変化しても、その変化距離がＰ−Ｑ間の距離を越えなければ、この第１外壁接合金物１０によって、外壁Ｓと梁Ｔを固定することができる。
【００３４】
よって、基礎柱脚や梁の精度により外壁Ｓの断熱材Ｓ３と梁Ｔとの距離ｐが若干変化しても、その距離変化を吸収して、簡易に外壁Ｓを配設することができる。
第１外壁接合金物１０の取付手順としては、第１外壁接合金物１０を、断熱材Ｓ３と梁Ｔとの間で移動させ、第１鉛直板部１１の外側の面（第１補強部材１３が配設されていない側の面）が、断熱材Ｓ３に圧接する位置に配設する。この工程が、位置調整工程に相当する。
なお、このとき、金物固定部材３０と第１外壁接合金物１０との間に形成される間隙ｑを補強するために、略長方形状板体である間隙補強部材４０（厚さは、間隙ｑの幅と同一）が間隙ｑに配設されている。
【００３５】
このため、ボルトＢ２，Ｂ２は、接合金物固定部３０ａ、間隙補強部材４０、第１金物第２ボルト孔１２ａ，１２ａを貫通して固定されることとなる。
このようにして、第１外壁接合金物１０は、金物固定部材３０を介して梁Ｔに取付けられる。
【００３６】
次いで、ボルトＢ３，Ｂ３を、第１金物第１ボルト孔１１ａ，１１ａより断熱材Ｓ３へ螺入して固定し、第１外壁接合金物１０と外壁Ｓとを固定する。
以上のように、第１外壁接合金物１０を介して外壁Ｓと梁Ｔが接合される。
また、第１金物第３ボルト孔１２ｂから図示しないボルトを貫通させて、第１外壁接合金物１０と梁Ｔとを固定すると、より確実に第１外壁接合金物１０を介して梁Ｔと外壁Ｓを固定することができる。
【００３７】
次いで、第２外壁接合金物２０を使用して、外壁Ｓと梁Ｔ上部を接合する方法を説明する。
図４及び図５に示すように、第２外壁接合金物２０は、梁Ｔの上端部（図４（ｂ）のＶ方向側端部）と外壁Ｓを連結する。
梁Ｔの上端内側面Ｔ３（下端内側面Ｔ１と対向する面）には、金物固定部材３０が予め固定されている。
【００３８】
金物固定部材３０は、第１外壁接合金物１０により外壁Ｓと梁Ｔとを接合する際に使用した部材と同じ部材が使用されており、第２外壁接合金物２０が配設される位置に適宜固定されている。
なお、金物固定部材３０は、梁Ｔの上端内側面Ｔ３に積層された状態で、ボルトＢ４，Ｂ４によって固定されている。
【００３９】
このとき、金物固定部材３０は、一部が外壁Ｓ側にはみ出した状態で梁Ｔの上端内側面Ｔ３に積層されている。
以下、第１外壁接合金物１０によって外壁Ｓと梁Ｔを固定する場合と同様に、外壁Ｓ側にはみ出した部分を「接合金物固定部３０ａ」と記し、下端内側面Ｔ１に積層されている部分を「梁固定部３０ｂ」と記す。
【００４０】
ボルトＢ４，Ｂ４は、梁Ｔの上端部と梁固定部３０ｂとを貫通して固定されている。
次いで、第２外壁接合金物２０を金物固定部材３０に取付ける。
つまり、第２外壁接合金物２０は、金物固定部材３０を介して、梁Ｔに取付けられることとなる。
なお、本実施形態では、金物固定部材３０を介して第２外壁接合金物２０と梁Ｔとを連結したが、金物固定部材３０は、必ずしも使用される必要はなく、第２外壁接合金物２０と梁Ｔとを直接接合してもよい。
しかし、金物固定部材３０を予め梁Ｔに固定しておくと、第２外壁接合金物２０を配設すべき位置を簡易に把握することが可能であるとともに、この金物固定部材３０にもルーズホールを作成しておくと、第２外壁接合金物２０の位置調整がより細かくできるため好ましい。
例えば、第２金物第２ボルト孔２２ａ，２２ａの長軸と略垂直な方向にルーズホールを形成しておくと、外壁と梁との距離方向と略垂直な方向に対する位置調整もまた行うことができる。
【００４１】
第２外壁接合金物２０は、梁取付部２２Ｂの裏面（第２鉛直板部２１が配設されていない側の面）側と、梁Ｔの上端表面Ｔ４（上端内側面Ｔ３の裏面）とを合わせ、外壁取付部２２Ａ上面（第２鉛直板部２１が配設される側の面）に断熱材Ｓ３の下端部を載置した状態で、ボルトＢ５，Ｂ５を接合金物固定部３０ａ及び第２金物第２ボルト孔２２ａ，２２ａに貫通させて固定する。
【００４２】
なお、第２金物第２ボルト孔２２ａ，２２ａは、長軸の長さが図４のＭ−Ｎ間の距離となる略楕円形状のルーズホールであるため、ボルトＢ５，Ｂ５は、この第２金物第２ボルト孔２２ａ，２２ａの長軸に沿って、どの位置においても固定することができる。
つまり、外壁ＳのフレームＳ２と梁Ｔとの距離ｍが多少変化しても、その変化距離がＭ−Ｎ間の距離を越えなければ、この第２外壁接合金物２０によって、外壁Ｓと梁Ｔを固定することができる。
【００４３】
よって、基礎柱脚や梁の精度により外壁ＳのフレームＳ２と梁Ｔとの距離ｍが若干変化しても、その距離変化を吸収して、簡易に外壁Ｓを配設することができる。
第２外壁接合金物２０の取付手順としては、第２外壁接合金物２０を、断熱材Ｓ３と梁Ｔとの間で移動させ、外壁取付部２２Ａの端辺（第２鉛直板部２１の長辺と対向する辺）側がフレームＳ２に圧接する位置に配設する。この工程が、位置調整工程に相当する。
なお、このとき、金物固定部材３０と第２外壁接合金物２０との間に形成される間隙ｎを補強するために、略長方形状板体である間隙補強部材４０（厚さは、間隙ｎの幅と同一）が間隙ｎに配設されている。この間隙補強部材４０もまた、第１外壁接合金物１０により外壁Ｓと梁Ｔとを接合する際に使用した部材と同じ部材が使用されている。
【００４４】
このため、ボルトＢ５，Ｂ５は、接合金物固定部３０ａ、間隙補強部材４０、第２金物第２ボルト孔２２ａ，２２ａを貫通して固定されることとなる。
このようにして、第２外壁接合金物２０は、金物固定部材３０を介して梁Ｔに取付けられる。
【００４５】
次いで、第２金物第１ピン孔２２ｃ，２２ｃより断熱材Ｓ３へ、ドリフトピンＢ６，Ｂ６を打ち込み、第２外壁接合金物２０と外壁Ｓの断熱材Ｓ３とを固定する。
以上のように、第２外壁接合金物２０を介して外壁Ｓと梁Ｔが接合される。
また、第２金物第３ボルト孔２２ｂから図示しないボルトを貫通させて、第２外壁接合金物２０と梁Ｔとを固定すると、より確実に第２外壁接合金物２０を介して梁Ｔと外壁Ｓを固定することができる。
【００４６】
本実施形態においては、第１外壁接合金物１０を使用することによって、梁Ｔの下端部と外壁Ｓを固定することができ、第２外壁接合金物２０を使用することによって、梁Ｔの上端部と外壁Ｓを固定することができる。
この際、第１金物第２ボルト孔１２ａ，１２ａ及び第２金物第２ボルト孔２２ａ，２２ａはルーズホールとなっているため、ボルト固定位置を調整することができる。
よって、基礎柱脚や梁の精度により外壁Ｓと梁Ｔ間の距離が若干変化しても、ボルト固定位置を調整することにより距離変化を吸収することが可能である。
このため、基礎柱脚や梁の精度による影響を受けることなく、簡易に外壁を立設することができる。
【図面の簡単な説明】
【００４７】
【図１】本発明の一実施形態に係る第１外壁接合金物を示す斜視図である。
【図２】本発明の一実施形態に係る第２外壁接合金物を示す斜視図である。
【図３】本発明の一実施形態に係る第１外壁接合金物が配設された状態を示す平面図及び側面図である。
【図４】本発明の一実施形態に係る第２外壁接合金物が配設された状態を示す平面図及び側面図である。
【図５】本発明の一実施形態に係る第１外壁接合金物及び第２外壁接合金物によって外壁が梁に固定された状態を示す断面相当図である。
【図６】従来技術の家屋骨組みを示す説明図である。
【符号の説明】
【００４８】
１０  外壁接合金物（第１外壁接合金物）
１１  外壁接合部（第１鉛直板部）
１１ａ  第１金物第１ボルト孔
１２  梁接合部（第１水平板部）
１２ａ  固定部材貫通孔（第１金物第２ボルト孔）
１２ｂ  第１金物第３ボルト孔
１２ｃ  底辺
１３  第１補強部材（第１補強部）
２０  外壁接合金物（第２外壁接合金物）
２１  支持部材（第２鉛直板部）
２２  外壁接合部、梁接合部（第２水平板部）
２２Ａ  外壁接合部（外壁取付部）
２２Ｂ  梁接合部（梁取付部）
２２ａ  固定部材貫通孔（第２金物第２ボルト孔）
２２ｂ  第２金物第３ボルト孔
２２ｃ  第２金物第１ピン孔
２２ｄ  底辺
２３  第２補強部材（第２補強部）
３０  金物固定部材
３０ａ  接合金物固定部
３０ｂ  梁固定部
４０  間隙補強部材
Ｂ１  ボルト
Ｂ２  固定部材（ボルト）
Ｂ３  ボルト
Ｂ４  ボルト
Ｂ５  固定部材（ボルト）
Ｂ６  ドリフトピン
Ｓ  外壁
Ｓ１  外装材
Ｓ２  フレーム
Ｓ３  断熱材
Ｔ  梁
Ｔ１  下端内側面
Ｔ２  下端表面
Ｔ３  上端内側面
Ｔ４  上端表面
【図１】
2006266012.tif 000003
【図２】
2006266012.tif 000004
【図３】
2006266012.tif 000005
【図４】
2006266012.tif 000006
【図５】
2006266012.tif 000007
【図６】
2006266012.tif 000008